(57)【要約】【課題】切削研磨範囲の拡大、切削、圧搾時の中心死角を解消することができ、より高い研磨・圧搾効果を奏する豆穀物の研磨および野菜・果物の切削・圧搾用ミキサー構造を提供する。【解決手段】一つの上テーブル、一つの下テーブル、一つのフィルター及び一つの蓋、一つの上研磨盤、一つの下研磨盤を含み、下テーブルには下研磨盤を固定するための伝動機構が設けられており、上研磨盤は蓋の投入口の底縁に固定され、蓋の投入口から野菜や果物等の食物を投入すると、伝動機構の働きによって下研磨盤が高速回転するミキサー構造において、下研磨盤には異なる形態の中心層カッター、その中心歯は下研磨盤の中心に近接しており、その周りは研磨歯が環状に設置されており、上研磨盤には下研磨盤と対応する貫通穴及び環状配置の研磨歯が設けられており、上研磨盤の貫通穴及び投入口は偏心設置となっているが、下研磨盤の中心点を含んでいる。【選択図】図２
0003129028.tif 000002
【実用新案登録請求の範囲】
【請求項１】
一つの上テーブル、一つの下テーブル、一つのフィルター及び一つの蓋、一つの上研磨盤、一つの下研磨盤を含み、下テーブルには下研磨盤を固定するための伝動機構が設けられており、上研磨盤は蓋の投入口の底縁に固定され、蓋の投入口から野菜や果物等の食物を投入すると、伝動機構の働きによって下研磨盤が高速回転する豆穀物の研磨および野菜・果物の切削・圧搾用ミキサー構造において、
上記下研磨盤には異なる形態の中心層カッター、その中心歯は下研磨盤の中心に近接しており、その周りは研磨歯が環状に設置されており、上記上研磨盤には下研磨盤と対応する貫通穴及び環状配置の研磨歯が設けられており、上研磨盤の貫通穴及び投入口は偏心設置となっているが、下研磨盤の中心点を含んでいるため、切削研磨範囲の拡大、切削、圧搾時の中心死角を解消することができ、より高い研磨・圧搾効果をもった構造となっていることを特徴とする豆穀物の研磨および野菜・果物の切削・圧搾用ミキサー構造。
【請求項２】
上記下研磨盤に設置されている中心層カッターは、下研磨盤の中心点を跨ぐ、或いはそれを含むことを特徴とする請求項１に記載の豆穀物の研磨および野菜・果物の切削・圧搾用ミキサー構造。
【請求項３】
上記下研磨盤に設置されているカッターは、先端の尖った三角形状、かつ逆方向に排列されていることを特徴とする請求項１に記載の豆穀物の研磨および野菜・果物の切削・圧搾用ミキサー構造。
【請求項４】
上記下研磨盤に設置されているカッターは、シャトル状の片側だけが高く突起した形となっていることを特徴とする請求項１に記載の豆穀物の研磨および野菜・果物の切削・圧搾用ミキサー構造。
【考案の詳細な説明】
【技術分野】
【０００１】
本考案は、豆穀物研磨および野菜・果物の切削・圧搾のダブル機能を具備し、下研磨盤作動時の中心切削死角を無くし、上下研磨盤の研磨機能及び圧搾機能を高めたミキサー構造に関するものである。
【背景技術】
【０００２】
既存のミキサー構造は、野菜や果物を圧搾、切削するため下研磨盤だけを有し、しかも下研磨盤の中心点が切削、圧搾の死角となる問題を改善するため、野菜や果物の圧搾投入口は偏心設置を採らなければならない。そうすると切削、圧の範囲は圧搾盤の半径以内に制限され、また、中心からの投入ができないため、豆穀物の研磨機能を果たすことができない。
【０００３】
既存の別の豆穀物研磨及び野菜・果物圧搾構造は図１に示すように、上テーブル１１、下テーブル１２、一つのフィルター１３、一つの蓋１４、上研磨盤、下研磨盤１５、１５１を有し、下テーブル１２にはカッターの下研磨盤１５を固定するための伝動機構１２１が設けられ、蓋１４の偏心位置には投入口１４１が設けられ、投入口１４１の底面には上研磨盤１５１が固定されている。蓋１４を閉じた後、蓋１４の投入口１４１から野菜や果物等の食物を入れると、それらは底部に歯部１６１を有する押し込みロッド１６によって押し込まれ、伝動機構１２１の働きによって下研磨盤１５が高速回転を始め、上研磨盤１５１と共に豆穀物研磨及または野菜・果物圧搾の機能を果たす。
【０００４】
このような構造をもった豆穀物研磨、野菜・果物ミキサーは、研磨盤１５の中心位置が切削、圧搾の死角となっているため、投入口を中心位置から離れた偏心設置に設置して切削、圧搾の中心死角を避けるのが一般的であるが、そうすると切削、圧搾エリアが研磨盤の半径以内の小さい範囲に制限されてしまい、体積の大きい野菜や果物の切削、圧搾を行うことができない。つまり、リンゴを丸ごと投入しても切削、圧搾することができないため、予め小さい塊に切らなければならず、それは実に不便と思われる。
しかし、大きい塊の野菜や果物の切削、研磨を行うためには、研磨盤の半径を増大し、研磨半径の拡大を図らなければならないが、そうすると研磨盤の直径が元の二倍となり、ミキサー全体の体積が著しく拡張されるため、経済性に欠けるという欠点をもっている。
【０００５】
考案者は長年関連業務に携わってきた経験を活かし、研究を重ねた結果、高い圧搾及び研磨効果を有し、経済性に見合った豆穀物の研磨及び果物、野菜圧搾のダブル機能を兼備した改良構造を提案したのである。
【考案の開示】
【考案が解決しようとする課題】
【０００６】
本考案の主な目的は切削、圧搾時の中心死角を無くし、切削、圧搾の範囲及び効能、上下の環状研磨歯の研磨効率を向上させた、豆穀物研磨、圧搾機能のダブル機能を兼備した豆穀物の研磨および野菜・果物の切削・圧搾用ミキサー構造を提供することである。
【課題を解決するための手段】
【０００７】
本考案の豆穀物の研磨および野菜・果物の切削・圧搾用ミキサー構造は、上下テーブル、一つのフィルター、上下研磨盤及び一つの蓋から構成されている。下テーブルには下研磨盤を固定するための伝動機構が設けられており、上研磨盤は蓋の投入口の底縁に固定され、蓋の投入口から豆穀物、野菜や果物等の食物を投入すると、下研磨盤が高速回転の切削動作をするとともに、上研磨盤は研磨動作を行い、果汁絞り及び豆穀物の細挽きを行うことができる。また、その下研磨盤の中心点付近には中心層カッター、下研磨盤の周りには環状に配置された研磨歯、上研磨盤には下研磨盤と対応する環状配置の研磨歯が設けられており、上下の研磨歯の働きによって研磨機能を果たしている。そして、投入口は下研磨盤の中心点を含む偏心位置に設置されているため、切削、圧搾時の死角を解消し、より高い研磨、圧搾効果を得ることができる。
【０００８】
上記上下研磨盤の周辺部には上下に対応する研磨歯が設置されており、豆穀物類、果物、野菜の研磨及び圧搾の機能を果たしている。上研磨盤と対応する投入口は下研磨盤の中心点を含む偏心位置に設置され、貫通穴を有している。
【０００９】
上記ミキサー構造の下研磨盤の中心層カッターは下研磨盤の中心点に近接した位置に設置されている。
【００１０】
上記ミキサー構造の下研磨盤に設けられている中心層カッターは研磨盤の中心点を含む位置、或はそれを跨ぐ位置に設置することができる。
【００１１】
上記ミキサー構造の下研磨盤に設置されているカッターは先端の尖った三角形状、かつ逆方向に排列されている。
【００１２】
上記ミキサー構造の下研磨盤に設置されているカッターはシャトル状の、片側だけが高く突起した形となっている。
【考案の効果】
【００１３】
本考案の豆穀物の研磨および野菜・果物の切削・圧搾用ミキサーは、中心部を含む偏心投入口、上研磨盤及び中心点を跨ぐカッターの下研磨盤等の新型構造により、中心死角の解消、研磨、圧搾エリアの拡大、ミキサーの研磨、圧搾效果の向上を実現させた実用的な設計となっている。
【考案を実施するための最良の形態】
【００１４】
図２、図３が示すように、本考案は一つの上テーブル１１、一つの下テーブル１２、一つのフィルター１３及び一つの蓋１４、一つの上研磨盤２１、一つの下研磨盤２２を含み、下テーブル１２には下研磨盤２２を固定するための伝動機構１２１が設けられており、上研磨盤２１は蓋１４の投入口１４１の底縁に固定され、投入口は下研磨盤２２の中心点を含む偏心位置に設置されている。
【００１５】
この構造において、下研磨盤２２の中心点周辺には異なる形態の中心層カッター２２１が設けられ、その外周部には研磨歯２２２が環状に設置されている。上研磨盤２１には下研磨盤と対応する貫通穴２１１及び環状配置の研磨歯２１２が設けられており、貫通穴２１１下研磨盤２２の中心点を含む偏心位置に設置されている。
【００１６】
前述の部品パーツを組み合わせることで一つの豆穀物研磨、野菜・果物ミキサーが構成され、下研磨盤２２の中心点を含む偏心位置に設置された投入口１４１から豆穀物または果物、野菜等の食物を投入すると、伝動機構１２１の駆動により下研磨盤２２が高速回転の切削動作をするとともに、下研磨盤２２の研磨歯２２２及び上研磨盤２１の研磨歯２１２は研磨動作を行い、研磨及び圧搾の機能を果たすことができる。また、投入口は下研磨盤の中心部を含む偏心位置に設置されているため、切削、研磨エリアは半径を超過し、比較的に体積の大きい果物や野菜の研磨、圧搾を行うことが出来る。それに加え、中心層カッター２２１の働きにより、圧搾時の死角を解消し、より高い研磨、圧搾効果を得ることができる。
【００１７】
図３が示すように、本考案のミキサー構造は、組立て後、蓋１４の投入口１４１が下研磨盤２２の中心点を含む偏心位置にあるため、豆穀物、果物や野菜等の食物を投入口１４１から投入すると、研磨盤２２は伝動機構１２１の駆動によって高速回転の切削動作を行い、投入された果物や野菜は下研磨盤の中心点から離れた所で研磨され、一定部位の死角が形成されず、遠心力の働きで上下の研磨盤へ送られる。
【００１８】
上研磨盤２１と下研磨盤２２の隙間は上研磨盤２１と下研磨盤２２の環状配置された研磨歯２１２、２２２に研磨作用をもたせ、効率のよい研磨、圧搾効果を得る目的で設けられたものである。下研磨盤２２の中心層カッター２２１が中心点に近接、中心点を含むまたは中心点を跨ぐ位置に設置され、投入口１４１が下研磨盤２２の中心部及び中心層カッター２２１を含む偏心位置にあるため、果物や野菜等の食物が投入口１４１の底から上下研磨盤２１、２２に進入した後、中心定点の切削死角が解消され、研磨、圧搾效果を向上させることができる。
【００１９】
前述の本考案における豆穀物研磨、野菜・果物ミキサーは下研磨盤２２の中心層カッター２２１が中心点に近接、中心点を含むまたは中心点を跨ぐ位置に設置され、投入口１４１が下研磨盤２２の中心層カッターを含む偏心位置にあるため、切削、研磨エリアは拡大され、リンゴや梨といった体積の大きい果物でも小さくカットする必要がなく、投入口１４１から丸ごと投入することができる。広大な研磨エリアをもつ改良構造により、より効率の高い研磨、圧搾效果、便利性及び実用性を兼ね備えた野菜・果物ミキサーを実現した。
【００２０】
図４が示すように、本考案の下研磨盤２２に設けられているカッター２２１は中心点に近接、中心点を含むまたは中心点を跨ぐ位置に設置されたカッターを含むため、中心点付近の切削研磨を行う際、中心の死角を効果的に解消することができる。
【００２１】
図５は、本考案の下研磨盤２２に設置されているカッター２２１の別の実施例を示しており、そのカッターは先端の尖った三角形状、かつ逆方向に排列されている。
【００２２】
図６は、本考案の下研磨盤２２に設置されているカッター２２１のもう一つの実施例を示しており、そのカッターはシャトル状の、片側だけが高く突起した形となっている。
カッター２２１形態はいずれも中心点に近接、中心点を含むまたは中心点を跨ぐ位置に設置されており、さらにその投入口１４１は下研磨盤２２の中心部を含む偏心位置にあるため、研磨エリアは拡大され、より高い研磨、圧搾効果を実現し、果物、野菜ミキサーの実用性を向上された考案となっている。
【図面の簡単な説明】
【００２３】
【図１Ａ】旧式研磨ミキサーの立体分解図。
【図１Ｂ】旧式研磨ミキサーの部分断面図。
【図２】本考案における立体分解図。
【図３】本考案における断面図。
【図４】本考案における下研磨盤の立体図。
【図５】本考案の別の実施例における下研磨盤の立体図。
【図６】本考案のもう一つの実施例における下研磨盤の立体図。
【符号の説明】
【００２４】
［主な部品符号の説明］
１１    上テーブル
１２    下テーブル
１２１  伝動機構
１３    フィルター
１４    蓋
１４１  投入口
２１    上研磨盤
２１１  貫通穴
２１２  研磨歯
２２    下研磨盤
２２１  カッター
２２２  研磨歯
１５    上研磨盤
１５１  下研磨盤
１６  押し込みロッド
１６１  歯部
【図１Ａ】
0003129028.tif 000003
【図１Ｂ】
0003129028.tif 000004
【図２】
0003129028.tif 000005
【図３】
0003129028.tif 000006
【図４】
0003129028.tif 000007
【図５】
0003129028.tif 000008
【図６】
0003129028.tif 000009